(57)【要約】【課題】耐久性がより向上した商品陳列用トレイを得る。【解決手段】平面視で矩形状の底板１１と、該底板１１の周縁に立設された、前壁１２、右側壁１３、後壁１４、及び左側壁１５を、有する、樹脂製のトレイ本体１０と、右側壁１３、左側壁１５、及び後壁１３の、上縁に沿って配置された、金属製の補強部材２０と、を備え、補強部材２０は、上縁に設けられた、第１〜第５係止部１６１〜１６５によって係止されていることを特徴とする。【選択図】図１
0003186928.tif 000002
【実用新案登録請求の範囲】
【請求項１】
平面視で矩形状の底板と、該底板の周縁に立設された、前壁、後壁、及び左右の側壁と、を有する樹脂製のトレイ本体と、
前記左右の側壁及び前記後壁の、上縁に沿って配置された、金属製の補強部材と、を備え、
前記補強部材は、前記上縁に設けられた係止部によって、係止されていることを特徴とする、商品陳列用トレイ。
【請求項２】
前記前壁、前記後壁、及び前記左右の側壁には、前記トレイ本体の内側と外側とを連通する開口部が、形成されている、請求項１記載の商品陳列用トレイ。
【請求項３】
前記前壁に着脱自在に取り付けられた、商品情報表示用の表示体を、備え、
前記表示体は、表示部と取付部とを有しており、
前記前壁は、前記表示体の前記取付部が上方から挿し込まれるスリット部を有しており、
前記スリット部は、前記前壁の左右方向に沿って、少なくとも３カ所に離間して形成されており、上から下に向けて後方に傾斜して且つ前記底板を貫通して形成されており、
前記表示体は、前記取付部を前記スリット部に挿し込んだ状態で、前記表示部が前方斜め上方を向くような、形態を、有している、請求項１又は２に記載の商品陳列用トレイ。
【請求項４】
前記底板の、前記前壁の近傍部分が、前記底板の、商品を載置する載置面に対して、一段高く形成されている、請求項３記載の商品陳列用トレイ。
【請求項５】
前記底板と前記前壁との交差部には、補強リブが形成されている、請求項１〜４のいずれか１つに記載の商品陳列用トレイ。
【考案の詳細な説明】
【技術分野】
【０００１】
本考案は、商品陳列用トレイに関し、特に、店頭において、商品としてのドーナツやパンなどの食品を陳列して販売するために使用される、商品陳列用トレイに関する。
【背景技術】
【０００２】
従来から、商品としてのドーナツやパンなどの食品を店頭販売するために、商品陳列用トレイが、用いられている。そして、商品陳列用トレイには、特に、衛生面の徹底した管理が要求されると共に、使い捨てることなく繰り返し使用可能であることが要求される。このため、商品陳列用トレイは、一般的には樹脂で形成されており、洗浄して繰り返し使用されている。
【０００３】
ところで、商品陳列用トレイは、商品毎に使用されるのが一般的であるので、店舗においては、多数個の商品陳列用トレイが使用される。それ故、商品陳列用トレイは、洗浄機によって自動的に洗浄されるのが、一般的である。
【考案の概要】
【考案が解決しようとする課題】
【０００４】
ところで、洗浄機による洗浄においては、洗浄効果を上げるために、高温水を用いる場合がある。その場合、樹脂製の商品陳列用トレイは、熱変形が生じやすい。特に、繰り返し洗浄すると、商品陳列用トレイには、蓄積された熱変形によって、過大な歪が生じ、商品陳列用トレイは使用不能となる。
【０００５】
本考案は前記課題に鑑みてなされたものであり、耐久性がより向上した商品陳列用トレイを、提供することを目的とする。
【課題を解決するための手段】
【０００６】
前記課題を解決するために、本考案に係る商品陳列用トレイは、平面視で矩形状の底板と、該底板の周縁に立設された、前壁、後壁、及び左右の側壁と、を有する樹脂製のトレイ本体と、前記左右の側壁及び前記後壁の、上縁に沿って配置された、金属製の補強部材と、を備え、前記補強部材は、前記上縁に設けられた係止部によって、係止されていることを特徴とする。
【０００７】
上記考案によれば、金属製の補強部材が樹脂製のトレイ本体を補強しているので、トレイ本体の熱変形を抑制できる。すなわち、金属製の補強部材は、樹脂製のトレイ本体よりも熱変形量が小さく、且つ、剛性を有しているので、樹脂製のトレイ本体に生じる熱変形を抑制でき、よって、商品陳列用トレイの耐久性を向上できる。特に、洗浄機を用いてトレイ本体を高温水で繰り返し洗浄する場合においても、トレイ本体に生ずる熱変形を抑制できる。
【０００８】
また、本考案に係る商品陳列用トレイは、以下の構成を採用することができる。
【０００９】
（ａ）前記前壁、前記後壁、及び前記左右の側壁には、前記トレイ本体の内側と外側とを連通する開口部が、形成されている。
【００１０】
前記構成（ａ）によれば、商品陳列用トレイを上下に複数個積み重ねた状態でも、商品陳列用トレイの内側と外側とが開口部を通して連通するので、多数個の商品陳列用トレイを一度に洗浄し、乾燥させることができる。これにより、洗浄作業の効率を向上できる。
【００１１】
（ｂ）前記前壁に着脱自在に取り付けられた、商品情報表示用の表示体を、備え、前記表示体は、表示部と取付部とを有しており、前記前壁は、前記表示体の前記取付部が上方から挿し込まれるスリット部を有しており、前記スリット部は、前記前壁の左右方向に沿って、少なくとも３カ所に離間して形成されており、上から下に向けて後方に傾斜して且つ前記底板を貫通して形成されており、前記表示体は、前記取付部を前記スリット部に挿し込んだ状態で、前記表示部が前方斜め上方を向くような、形態を、有している。
【００１２】
前記構成（ｂ）によれば、次のような効果を発揮できる。
（１）表示体をスリット部に着脱自在に差し込むことができるので、陳列される商品に応じた、表示体を容易に取り付けることができる。
（２）商品陳列用トレイは、表示体を一体的に有しているので、表示体とともに移動できる。これにより、商品陳列用トレイを移動させた場合でも、載置された商品と表示体との不一致を防止できる。
（３）表示体は、商品陳列用トレイに取り付けられると、表示面が斜め上方を指向するように構成されているので、トレイを下方に設置したり、トレイを前下がりの状態に設置したりする場合でも、前方からの表示面の視認性を確保できる。その結果、トレイ配置の自由度を向上できる。
（４）仮に、底板まで貫通するスリット部が前壁に沿って連続して設けられていると、前壁は側壁のみで支持されることになり、前壁の支持剛性が低下することになるが、本考案では、スリット部が前壁に沿って少なくとも３カ所に離間して形成されているので、前壁を、側壁による支持に加えて、隣接するスリット間の底壁によっても支持できる。よって、前壁の支持剛性を確保できる。
【００１３】
（ｃ）前記構成（ｂ）を有し、且つ、前記底板の、前記前壁の近傍部分が、前記底板の、商品を載置する載置面に対して、一段高く形成されている。
【００１４】
前記構成（ｃ）によれば、前壁の近傍部分によって、粉などがスリット部に到達するのを阻止でき、その結果、スリット部から粉などが落下することを防止できる。したがって、例えば、ドーナツなどを陳列する場合に、粉などの飛散を防止でき、良好な衛生状態を維持できる。さらに、前壁の近傍部分によって、商品陳列用トレイ上の商品が前方にずれて表示体に接触することも、阻止できる。
【００１５】
（ｄ）前記底板と前記前壁との交差部には、補強リブが形成されている。
【００１６】
上記構成（ｄ）によれば、前壁の支持剛性をさらに向上できる。
【考案の効果】
【００１７】
すなわち、本考案によれば、商品陳列用トレイの耐久性をより向上できる。
【図面の簡単な説明】
【００１８】
【図１】本考案に係る、商品陳列用トレイの斜視図である。
【図２】トレイ本体の斜視図である。
【図３】同側面図である。
【図４】トレイ本体の前壁周辺を示す拡大斜視図である。
【図５】図４のＶ−Ｖ拡大断面図である。
【図６】図５のＶＩ−ＶＩ拡大断面図である。
【図７】商品陳列用トレイの平面図である。
【図８】図７のＶIII−ＶIII拡大断面図である。
【図９】図７のIＸ−IＸ拡大断面図である。
【図１０】図７のＸ−Ｘ拡大断面図である。
【図１１】図７のＸＩ−ＸＩ拡大断面図である。
【図１２】トレイ本体を複数積み重ねた状態を示す、背面図である。
【図１３】同側面図である。
【図１４】他の実施形態に係る、トレイ本体を示す側面図である。
【考案を実施するための形態】
【００１９】
図１〜図１３は、本考案の一実施形態に係る商品陳列用トレイ１を示す。なお、説明の都合上、商品陳列用トレイ１の顧客に面する側を、商品陳列用トレイ１の「前方」とし、顧客から見た（すなわち前方から後方をみた）場合の、商品陳列用トレイ１の左右方向を、商品陳列用トレイ１の「左右方向」とする。
【００２０】
（全体）
図１は本実施形態に係る商品陳列用トレイ１を示す斜視図である。図１に示されるように、この商品陳列用トレイ１は、商品（例えばドーナツやパンなどの食品）を載置するためのトレイ本体１０と、トレイ本体１０を補強するための補強部材２０と、載置された商品に関する情報を表示するための表示体３０と、を備えている。そして、商品陳列用トレイ１は、表示体３０が前方に位置するように陳列棚（図示しない）に配置され、トレイ本体１０上に複数個の商品が載置された状態で、使用される。
【００２１】
（トレイ本体１０）
図２はトレイ本体１０の斜視図であり、図３は同側面図である。図２に示されるように、トレイ本体１０は、全体として上開きの形状を有し、略矩形状の底板１１と、底板１１の周縁に立設された、前壁１２と、右側壁１３と、後壁１４と、左側壁１５と、を有しており、樹脂（例えば、ポリプロピレン）によって一体に形成されている。
【００２２】
トレイ本体１０には、表示体３０（図１参照）を着脱自在に取り付けるためのスリット部１２１と、補強部材２０（図１参照）を係止するための第１〜第５係止部１６１〜１６５と、トレイ本体１０の内側と外側とを連通する第１〜第５開口部１７１〜１７５と、が設けられている。また、図３に示されるように、底板１１の前部には、一段高く形成された底板段部１１１が、形成されている。
【００２３】
図４〜図６を参照して、スリット部１２１について説明する。図４はスリット部１２１の斜視図である。図５は図４のＶ−Ｖ拡大断面図であり、スリット部１２１の縦断面を示す。図６は図５のＶI−ＶI断面図であり、スリット部１２１の横断面を示す。図４、図６に示されるように、スリット部１２１は、前壁１２に沿って３個形成されており、底板段部１１１上のスリット離間部１１１Ａによって、等間隔に離間されている。
【００２４】
図５に示されるように、スリット部１２１は、上から下に向けて後方に傾斜して且つ底板段部１１１を貫通して形成されている。より具体的には、スリット部１２１は、底板１１の底板段部１１１から前方斜め上方に向けて立設した傾斜壁部１２１Ａと、前壁１２から傾斜壁部１２１Ａに向けて突出した突出部１２１Ｂと、の間の隙間として形成され、底板段部１１１を上下に貫通している。傾斜壁部１２１Ａと突出部１２１Ｂとの間のスリット幅Ｓは、表示体３０の厚みＴ（図１参照）よりも少し大きく構成されている。
【００２５】
次に、図１、図２、図７〜図１０を参照して、第１〜第５係止部１６１〜１６５について説明する。図７は商品陳列用トレイ１の平面図である。図８は図７のＶIII−ＶIII拡大断面図であり、第１、第５係止部１６１、１６５を示す。図９は図７のIＸ−IＸ拡大断面図であり、第２、第４係止部１６２、１６４を示す。図１０は図７のＸ−Ｘ断面図であり、第３係止部１６３を示す。
【００２６】
図１に示されるように、第１係止部１６１は右側壁１３の前方上部に設けられており、第２係止部１６２は右側壁１３の前後方向略中央の上部に設けられており、第３係止部１６３は後壁１４の左右方向略中央の上部に設けられており、第４係止部１６４は左側壁１５の前後方向略中央の上部に設けられており、第５係止部１６５は左側壁１５の前方上部に、設けられている。
【００２７】
第１係止部１６１は、上側第１係止部１６１Ａと、これに隣接して後部に設けられた下側第１係止部１６１Ｂと、を有している。図８に示されるように、上側第１係止部１６１Ａは、下方に向けて開口した略逆Ｕ字状の断面を有しており、前後方向に延在する補強部材２０の略上半分部に略当接するように形成されている。下側第１係止部１６１Ｂは、補強部材２０の下側に略当接するように形成されている。なお、下側第１係止部１６１Ｂは、補強リブ１６１Ｃを備え、これによって下方への変形が抑制されている。
【００２８】
図９に示されるように、第２係止部１６２は、上方に向けて開口した略Ｕ字状の断面を有しており、補強部材２０の略下半分部に略当接するように形成されている。なお、第２係止部１６２は、補強リブ１６２Ｃを備え、これによって下方への変形が抑制されている。
【００２９】
図２に示されるように、第３係止部１６３は、上側第３係止部１６３Ａと、上側第３係止部１６３Ａに隣接して設けられた左右一対の下側第１係止部１６３Ｂと、を有している。図１０に示されるように、上側第３係止部１６３Ａは、下方に向けて開口した略逆Ｕ字状の断面を有しており、左右方向に延在する補強部材２０の略上半分部に略当接するように形成されている。下側第３係止部１６３Ｂは、補強部材２０の下側に略当接するように形成されている。なお、下側第３係止部１６３Ｂは、補強リブ１６３Ｃを備え、これによって下方への変形が抑制されている。
【００３０】
図９に示されるように、第４係止部１６４は、上方に向けて開口した略Ｕ字状の断面を有しており、補強部材２０の略下半分部に略当接するように形成されている。なお、第４係止部１６４は、補強リブ１６４Ｃを備え、これによって下方への変形が抑制されている。
【００３１】
図２に示されるように、第５係止部１６５は、上側第５係止部１６５Ａと、上側第５係止部１６５Ａに隣接して後部に設けられた下側第５係止部１６５Ｂと、を有している。図８に示されるように、上側第５係止部１６５Ａは、下方に向けて開口した略逆Ｕ字状の断面を有しており、前後方向に延在する補強部材２０の略上半分部に略当接するように形成されている。下側第５係止部１６５Ｂは、補強部材２０の下側に略当接するように形成されている。なお、下側第５係止部１６５Ｂは、補強リブ１６５Ｃを備え、これによって下方への変形が抑制されている。
【００３２】
次に、図２を参照して、第１〜第５開口部１７１〜１７５について説明する。図２に示されるように、第１開口部１７１は、前壁１２の左右方向略中央部に形成されており、表示体３０の幅Ｗ１（図１参照）よりも大きな開口幅を有し、上方に向けて開口している。第２開口部１７２は、右側壁１３に形成されており、第１係止部１６１と第２係止部１６２との間で、上方に向けて開口している。
【００３３】
第３開口部１７３は、右側壁１３と後壁１４とに亘って形成されており、第２係止部１６２と第３係止部１６３との間で、上方に向けて開口している。第４開口部１７４は、後壁１４と左側壁１５とに亘って形成されており、第３係止部１６３と第４係止部１６４との間で、上方に向けて開口している。第５開口部１７５は、左側壁１５に形成されており、第４係止部１６４と第５係止部１６５との間で、上方に向けて開口している。
【００３４】
図５に示されるように、第１開口部１７１の下縁は、前壁１２の上下方向中間部の少し上方に位置している。図１に示されるように、第２開口部１７２の下縁は、右側壁１３の上下方向の略中間部に位置している。第３開口部１７３の下縁は、右側壁１３及び後壁１４の上下方向の略中間部に位置している。第４開口部１７４の下縁は、後壁１４及び左側壁１５の上下方向の略中間部に位置している。第５開口部１７５の下縁は、左側壁１５の上下方向の略中間部に位置している。
【００３５】
図８に示されるように、トレイ本体１０の、前壁１２、右側壁１３、後壁１４、及び左側壁１５は、下方に進むにつれてトレイ本体１０の内方へ向かって傾斜するように形成されている。下端部における左右側壁１３、１５の両外壁間の幅Ｗ２が、上端部における左右側壁１３、１５の両内壁間の幅Ｗ３よりも小さく、且つ、第２〜第５開口部１７２〜１７５の下縁部における左右側壁１３、１５の両内壁間の幅Ｗ４よりも大きく構成されている。
【００３６】
図３に示されるように、底板段部１１１と前壁１２との交差部には、底板段部１１１と前壁１２とに亘って、補強リブ１８が形成されている。図６において点線で示されるように、補強リブ１８は、３個のスリット部１２１を離間するスリット離間部１１１Ａの下面に、それぞれに配設されている。すなわち、２個の補強リブ１８が、トレイ本体１０に一体に形成されている。
【００３７】
（補強部材２０の構成）
補強部材２０は、金属製（例えばステンレス鋼）の棒状部材である。図１に示されるように、補強部材２０は、右側壁１３の上縁に沿って延びる第１直線部２１と、第１直線部２１の後端部で屈曲して、後壁１４の上縁に沿って延びる第２直線部２２と、第２直線部２２の左端部で屈曲して、左側壁１５の上縁に沿って延びる第３直線部２３と、を有している。
【００３８】
第１直線部２１は、第１、第２係止部１６１、１６２によって係止されている。第２直線部２２は、第３係止部１６３によって係止されている。第３直線部２３は、第４、第５係止部１６４、１６５によって係止されている。
【００３９】
補強部材２０のトレイ本体１０への組み付けは、次のように行われる。図８、図９に示されるように、まず、補強部材２０の第１、第３直線部２１、２３を、第２、第４係止部１６２、１６４を通過させながら、トレイ本体１０の後方から前方へ移動させ、第１、第５係止部１６１、１６５に差し込む。
【００４０】
次に、図１０に示されるように、補強部材２０をさらに前方へ押し込んで、第２直線部２２を第３係止部１６３に係止させる。なお、このとき、補強部材２０は、上側第３係止部１６３Ａと下側第３係止部１６３Ｂとを上下に開くように変形させながら、押し込まれる。
【００４１】
図８に示されるように、第１直線部２１の前端部は、第１係止部１６１によって係止されている。第１係止部１６１において、第１直線部２１は、上側第１係止部１６１Ａによって上方向及び左右方向を位置決めされ、下側第１係止部１６１Ｂによって下方向を位置決めされている。
【００４２】
図９に示されるように、第１直線部２１の前後方向略中央部は、第２係止部１６２に係止されて、左右方向を位置決めされている。すなわち、第１直線部２１は、第１、第２係止部１６１、１６２によって係止されて、上下左右方向を位置決めされて、トレイ本体１０の右側壁１３に取り付けられている。
【００４３】
第３直線部２３は、第１直線部２１と同様に、第４、第５係止部１６４、１６５によって係止されて、上下左右方向を位置決めされて、トレイ本体１０の左側壁１５に取り付けられている。
【００４４】
図１０に示されるように、第２直線部２２は、第３係止部１６３によって係止されている。第３係止部１６３においては、第２直線部２２は、上側第３係止部１６３Ａによって上方向及び前後方向を位置決めされ、下側第３係止部１６３Ｂによって下方向を位置決めされている。すなわち、第２直線部２２は、第３係止部１６３によって係止されて、上下前後方向を位置決めされて、トレイ本体１０の後壁１４に取り付けられている。
【００４５】
したがって、補強部材２０は、第１〜第５係止部１６１〜１６５によって前後上下左右方向を位置決めされて、トレイ本体１０に組み付けられている。すなわち、トレイ本体１０は、右側壁１３、後壁１４、及び左側壁１５に、取り付けられた、補強部材２０によって、補強されている。
【００４６】
（表示体３０）
表示体３０は、樹脂（例えばポリエチレンテレフタラート）で構成された、板状部材である。図１に示されるように、表示体３０は、表示部３１と、スリット部１２１に差し込まれた差込部（取付部）３２と、を備えている。表示部３１には、例えば、トレイ本体１０に載置される商品の、名称、販売価格、宣伝コピー、アレルギー特定原材料などの情報が表示されている。表示部３１と差込部３２とは、屈曲部３３によって区画されている。すなわち、表示体３０は、屈曲部３３で屈曲された略逆Ｖ字状の断面形状を有している。
【００４７】
表示体３０のスリット部１２１への組み付けは、次のように行われる。図１１は図７のＸI−ＸI拡大断面図である。図１１に示されるように、表示体３０は、差込部３２をスリット部１２１に上方から差し込むことによって、トレイ本体１０に組み付けられる。表示体３０は、略逆Ｖ字状に屈曲されているので、トレイ本体１０に装着された状態で、表示部３１が前方斜め上方を指向している。
【００４８】
（商品陳列用トレイ１の洗浄）
図１２はトレイ本体１０を複数個積み重ねた状態を示す背面図である。図１３は同側面図である。商品陳列用トレイ１は、表示体３０を取り外して、上下に複数個積み重ねた状態で、洗浄機によって洗浄される。ここで、トレイ本体１０は、下端部における左右側壁１３、１５の両外壁間の幅Ｗ２が、上端部における左右側壁１３、１５の両内壁間の幅Ｗ３よりも小さく、且つ、第２〜第５開口部１７２〜１７５の下縁部における左右側壁１３、１５の両内壁間の幅Ｗ４よりも大きく構成されている。
【００４９】
これによって、図１２、図１３に示されるように、トレイ本体１０を複数個積み重ねた状態においても、底板１１は下方のトレイ本体１０の上縁と第２〜第５開口部１７２〜１７５の下縁との間に位置することになる。つまり、トレイ本体１０が下方のトレイ本体１０に完全に嵌まり込むことはなく、下側のトレイ本体１０の第１〜第５開口部１７１〜１７５が、上側のトレイ本体１０によって遮られることはない。このようにして、複数個積み重ねられた状態のトレイ本体１０は、第１〜第５開口部１７１〜１７５を通して、洗浄液を供給することによって、洗浄される。
【００５０】
前記構成の商品陳列用トレイ１によれば、次の効果を発揮できる。
【００５１】
（１）樹脂製のトレイ本体１０よりも耐熱温度の高い金属製の補強部材２０が、トレイ本体１０を補強しているので、トレイ本体１０の熱変形を抑制できる。すなわち、金属性の補強部材２０は、樹脂製のトレイ本体１０よりも熱変形量が小さく、且つ、剛性を有しているので、樹脂製のトレイ本体１０に生じる熱変形を、金属性の補強部材２０によって抑制でき、よって、トレイ本体１０の耐久性を向上できる。
【００５２】
特に、洗浄機を用いてトレイ本体１０を高温水で繰り返し洗浄する場合においても、トレイ本体１０に生ずる熱変形を抑制できる。
【００５３】
（２）トレイ本体１０を上下に複数個積み重ねた状態でも、トレイ本体１０の内側と外側とが第１〜第５開口部１７１〜１７５を通して連通するので、多数個のトレイ本体１０を一度に洗浄し、乾燥させることができる。これにより、トレイ本体１０の洗浄作業の効率を向上できる。
【００５４】
（３）表示体３０をスリット部１２１に着脱自在に差し込むことができるので、陳列される商品に応じた、表示体３０を容易に取り付けることができる。また、スリット部１２１は、上から下に向けて後方に傾斜するように形成されているので、表示体３０をスリット部１２１に、前方から容易に取り付けることができる。
【００５５】
（４）商品陳列用トレイ１は、表示体３０を一体的に有しているので、表示体３０とともに移動できる。これにより、商品陳列用トレイ１を移動させた場合でも、載置された商品と表示体３０との不一致を防止できる。
【００５６】
（５）表示体３０は、商品陳列用トレイ１に取り付けられると、表示部３１が斜め上方を指向するように構成されているので、商品陳列用トレイ１を下方に設置した場合や、載置された商品を見えやすくするために、顧客に向けて商品陳列用トレイ１を前下がりの状態に設置する場合でも、前方からの表示部３１の視認性を確保できる。その結果、商品陳列用トレイ１の配置の自由度を向上できる。
【００５７】
（６）スリット部１２１が前壁１２に沿って３カ所に離間して形成されているので、前壁１２を、右側壁１３、左側壁１５による支持に加えて、隣接するスリット部１２１間のスリット離間部１１１Ａによっても支持できる。よって、前壁１２の支持剛性を確保できる。
【００５８】
（７）底板段部１１１によって、粉などがスリット部１２１に到達するのを阻止でき、その結果、スリット部１２１から落下することを防止できる。したがって、例えばドーナツなどを陳列する場合に粉などの飛散を防止でき、良好な衛生状態を維持できる。
【００５９】
（８）さらに、図１１において鎖線でドーナツ５を示すように、商品陳列用トレイ１に載置されたドーナツ５が前方にずれて、表示体３０に接触することも、底板段部１１１によって阻止できる。
【００６０】
（９）底板１１と前壁１２との交差部に、底板１１と前壁１２とに亘って補強リブ１８を形成したので、前壁１２の支持剛性をさらに向上できる。
【００６１】
上記実施形態では、第１〜第５係止部１６１〜１６５を設けて、補強部材２０をトレイ本体１０に取り付けているが、これに限らず、本実施形態よりも多くの又は少ない係止部を設けてもよい。また、上記実施形態では、スリット部１２１を３個形成しているが、これに限らず３個以上スリット部を形成してもよい。
【００６２】
また、上記実施形態では、上方に向けて開口した第１〜第５開口部１７１〜１７５を形成しているが、これに限らず、本実施形態よりも多くの又は少ない開口部を設けてもよい。また、他の実施形態に係るトレイ本体１００を示す、図１４を参照して、第１〜第５開口部２７１〜２７５を、水平方向にのみ開口するように形成してもよい。
【００６３】
本考案は、上記実施形態に限られるものではなく、実用新案登録請求の範囲に記載された本考案の精神及び範囲から逸脱することなく、各種変形及び変更を行うことも可能である。
【産業上の利用可能性】
【００６４】
本考案の商品陳列用トレイは、耐久性をより向上できるので、産業上の利用価値が大である。
【符号の説明】
【００６５】
１      商品陳列用トレイ
１０    トレイ本体
１１    底板
１１１  底板段部
１２    前壁
１２１  スリット部
１３    右側壁
１４    後壁
１５    左側壁
１６１〜１６５  第１〜第５係止部
１７１〜１７５  第１〜第５開口部
１８    補強リブ
２０    補強部材
２１  第１直線部    ２２  第２直線部    ２３  第３直線部
３０  表示体
３１  表示部    ３２  差込部
【図１】
0003186928.tif 000003
【図２】
0003186928.tif 000004
【図３】
0003186928.tif 000005
【図４】
0003186928.tif 000006
【図５】
0003186928.tif 000007
【図６】
0003186928.tif 000008
【図７】
0003186928.tif 000009
【図８】
0003186928.tif 000010
【図９】
0003186928.tif 000011
【図１０】
0003186928.tif 000012
【図１１】
0003186928.tif 000013
【図１２】
0003186928.tif 000014
【図１３】
0003186928.tif 000015
【図１４】
0003186928.tif 000016